(57)【要約】【課題】  ラベルを貼付しつつ容器の胴部の意匠表示の視認性を維持できる包装体を提供すること課題とする。【解決手段】  胴部２１と該胴部２１上方に形成され且つ内側傾斜した肩部２３とを有する容器２と、本体部３Ａと該本体部３Ａから延出され且つ容器２に貼付可能な貼付部３Ｂとを有するラベル３と、を備え、前記ラベル３の貼付部３Ｂが容器胴部２１に貼付されていると共にラベル３の本体部３Ａが容器肩部２２に沿い、このラベル付き容器の周囲にオーバラップフィルム５が被包されている包装体１。【選択図】  図１
2007216970.tif 000002
【特許請求の範囲】
【請求項１】
胴部と該胴部上方に形成され且つ内側傾斜した肩部とを有する容器と、本体部と該本体部から延出され且つ容器に貼付可能な貼付部とを有するラベルと、を備え、
前記ラベルの貼付部が容器胴部に貼付されていると共にラベルの本体部が容器肩部に沿い、このラベル付き容器の周囲にオーバラップフィルムが被包されていることを特徴とする包装体。
【請求項２】
前記本体部が、袋状に形成した収納部と、この収納部内に収納された附属品と、を有する請求項１記載の包装体。
【請求項３】
胴部と該胴部上方に形成され且つ内側傾斜した肩部とを有する容器と、本体部と該本体部から延出され且つ容器に貼付可能な貼付部とを有するラベルと、を備える包装体の製造方法であって、
前記ラベルの本体部を肩部に対応するように位置させて、ラベルの貼付部を容器胴部に貼付し、このラベル付き容器のラベル貼付面を上側に向けた状態で、ラベル付き容器の周囲にオーバラップフィルムを被せて熱収縮させることを特徴とする包装体の製造方法。
【請求項４】
前記貼付部が、本体部よりも幅狭に形成されている請求項３記載の包装体の製造方法。
【発明の詳細な説明】
【技術分野】
【０００１】
本発明は、ラベルが貼付された容器をオーバラップフィルムで被包した包装体とその製造方法に関する。
【背景技術】
【０００２】
従来、飲料、医薬品、日用品などの各種商品に、薬品能書、取扱説明書、商品説明書、懸賞応募説明書などの各種説明書、保証書などの各種証明書類、小冊子、各種カード類、付録などの扁平状の附属品３０６を添付する手段として、図８（ａ）及び図８（ｂ）に示すラベル３００を容器２００に貼付することが知られている。
このラベル３００は、図８（ｂ）に示すように、下面全体に粘着部３０１が設けられた下層基材３０２と、下層基材３０２の上面に重ね合わされる上層基材３０３と、この上下層基材３０２、３０３間に収納される付属品３０６と、を備え、上下層基材３０２、３０３の周縁部を接着することにより、この周縁接着部３０４で囲われる領域内に付属品３０６を収納する収納部３０５が形成された構成からなる。
かかるラベル３００は、付属品３０６が収納部３０５内に収納された状態で、図８（ｃ）に示すように、粘着部３０１を介して容器２００の胴部２０１にベタ状に貼付されて使用されている。
【０００３】
ところで、附属品３０６は、その目的に応じて様々な事項が印刷されたものからなるため非透明であり、よって、上記ラベル３００のうち、少なくとも附属品３０６が収納された部分は、非透明又は半透明など透光性が低いものである。一方、容器２００には、商品名、絵柄、説明書きなどの各種意匠表示が施されているが、特に、容器の胴部２０１にメインとなる意匠表示２０２が施されている。
従って、上記従来のラベル付き容器は、貼付されたラベル３００によって胴部２０１の意匠表示２０２が隠れてしまうという問題点がある。また、附属品３０６を含むラベル３００が透明であっても、胴部２０１にメインとなる意匠表示２０２の上にラベル３００が貼付されていると、意匠表示２０２の視認性が低下する。
かかる問題点は、扁平状の附属品３０６を備えた上記ラベル３００全体を容器２００に貼付する場合に限られず、各種のラベルを容器２００の胴部２０１にベタ状に貼付する場合に共通して生じ得る問題点でもある。
【発明の開示】
【発明が解決しようとする課題】
【０００４】
そこで、本発明は、容器にラベルを貼付しつつ容器の胴部の意匠表示の視認性を維持できる包装体を提供することを課題とする。また、第２の課題は、上記包装体を簡易に且つ美麗に製造できる製造方法を提供することにある。
【課題を解決するための手段】
【０００５】
本発明者らは、上記課題に鑑みて、鋭意研究したところ、通常、容器の胴部に続く傾斜状の肩部には、メインとなる意匠表示が施されない点に着目し、本発明を完成させた。
【０００６】
すなわち、本発明は、胴部と該胴部上方に形成され且つ内側傾斜した肩部とを有する容器と、本体部と該本体部から延出され且つ容器に貼付可能な貼付部とを有するラベルと、を備え、前記ラベルの貼付部が容器胴部に貼付されていると共にラベルの本体部が容器肩部に沿い、このラベル付き容器の周囲にオーバラップフィルムが被包されていることを特徴とする包装体を提供する。
【０００７】
好ましくは、上記のラベルの本体部は、袋状に形成した収納部と、この収納部内に収納された附属品とを有して構成されている。
【０００８】
本発明に係る包装体は、ラベルの貼付部のみが胴部に貼付され、本体部が肩部に沿っている。従って、容器の胴部には、ラベルの一部分である貼付部のみが重なるため、胴部の意匠表示の上にラベルが殆ど重ならない。よって、容器にラベルを貼付しつつ容器の胴部の意匠表示の視認性を維持できる。さらに、本体部は、オーバラップフィルムによって肩部に押さえ付けられるため、容器に対して非接着な本体部が折れ曲がったることを防止でき、また、梱包ケース内に於いて或いは輸送中に於いて、ラベルが容器から外れたりすること等を防止できる。さらに、本体部が付属品を有する場合、これが盗まれたる虞があるが、収納部に附属品が収納され、更に、オーバーラップフィルムで被包されているので、附属品の盗難を防止できる。
【０００９】
また、本発明は、胴部と該胴部上方に形成され且つ内側傾斜した肩部とを有する容器と、本体部と該本体部から延出され且つ容器に貼付可能な貼付部とを有するラベルと、を備える包装体の製造方法であって、ラベルの本体部が肩部に対応するように位置させて、前記ラベルの貼付部を容器胴部に貼付し、このラベル付き容器のラベル貼付面を上側に向けた状態で、ラベル付き容器の周囲にオーバラップフィルムを被せて熱収縮させることを特徴とする包装体の製造方法を提供する。
【００１０】
上記のように、ラベルの本体部を容器肩部に対応するように位置させて、前記ラベルの貼付部を容器胴部に貼付した後、このラベル付き容器のラベル貼付面を上側に向けた状態とすると、肩部との間に空間を有した状態の本体部は、自重により、肩部側へと垂れ下がる。このように自重により本体部が肩部側に垂れ下がるので、このラベル付き容器の周囲にオーバラップフィルムを被せて熱収縮させるだけで、本体部に皺などを生じさせることなく、本体部が美麗に肩部に沿った包装体を簡易に製造することができる。
【００１１】
また、前記貼付部は、本体部よりも幅狭に形成されているのが好ましい。
【００１２】
上記のように貼付部を本体部より幅狭に形成すると、貼付部と本体部との境界となる部分の幅が小さくなる。従って、本体部の自重によってこの部分に発生する応力が大きくなるため、本体部が自重により垂れ下がり易くなる。
【発明の効果】
【００１３】
本発明の包装体によれば、ラベルの本体部が容器の胴部の意匠表示に殆ど重ならない。従って、容器胴部の意匠表示が良好に見え且つ所望のラベルが貼付された包装体を提供することができる。
本発明の製造方法によれば、オーバーラップフィルムを熱収縮させるだけで、容器肩部に本体部が沿った包装体を美麗に且つ簡易に製造することができる。
【発明を実施するための最良の形態】
【００１４】
以下、添付図面を参照しつつ、本発明の一実施形態に係る包装体及びその製造方法について説明する。
図１において、１は、容器２と、容器２に貼付されるラベル３と、このラベル３が貼付されたラベル付き容器の周囲を被包するオーバラップフィルム５と、を備える包装体を示す。
【００１５】
容器２は、清涼飲料水、ジュース、清酒などの飲料、洗剤、薬品等の所望のものが収納でき、収納物は特に限定されるものでない。
図１に示すように、容器２は、胴部２１と該胴部２１の上方に設けられ且つ内側傾斜した肩部２３とを有する。さらに、容器２は、底部（図示しない）を有し、胴部２１は、該底部に立設された横断面略矩形状の筒状に形成されている。胴部２１の表面には、商品名、絵柄、説明書きなどのメインとなる各種意匠表示２２が施されている。なお、胴部２１の形状は、特に限定されず、例えば、横断面略多角形状の筒状、横断面略円状の筒状などでもよい。
肩部２３は、図１（ｂ）に示すように、胴部２１の上端部から上方に向かうに従い内側傾斜した２つの斜面２３ａを備え、側面視において略三角形状に形成されている。尚、このような肩部２３の形状は、ゲーブルトップ型と言われており、図示した容器２は、牛乳などの紙パック容器として広く用いられいるものである。
肩部２３は、この２つの斜面２３ａのうち、１つの斜面２３ａの中央部から突設された注出口２４と、この注出口２４を閉塞するキャップ２５とを備えている。肩部２３の形状は、内側傾斜している部分を備える限りにおいて、特に限定されず、その傾斜部分が本実施形態の斜面２３ａのような平面であっても、内側傾斜する角度が変化する曲面、例えば、側面視において略円弧状である曲面であってもよい。また、内側傾斜している部分は、本実施形態のように側面視において左右の２箇所（左右の斜面２３ａ）に限定されず、例えば、容器２の周方向に連続しており、肩部２３が略円錐台形状などに形成されてもよい（肩部２３が略円錐台状の容器としては、例えば、ボトル型容器などが挙げられる）。また、肩部２３は、注出口２４やキャップ２５を備えない形態であってもよい。
【００１６】
なお、容器２の材質は、特に限定されず、例えば、紙、合成紙、ポリエチレンテレフタレートなどの合成樹脂、鉄、アルミニウムなどの金属、ガラスなどの他、これらを複数積層したものを使用することができる。
【００１７】
ラベル３は、図２（ａ）に示すように、例えば、非透明な本体部３Ａと、該本体部３Ａから延出され且つ容器２に貼付可能な貼付部３Ｂとを有している。ラベル３は平面視略Ｔ字状に形成されており、本体部３Ａは、平面視略矩形状（例えば長方形状）に形成され、貼付部３Ｂは、本体部３Ａより幅狭で、且つ面積の小さい平面視略矩形状に形成されている。本体部３Ａと貼付部３Ｂとの面積比は特に限定されるものでないが、包装体１の製造時、本体部３Ａが垂れ下がり易くできる点から、２０：１〜１：１が好ましく、１０：１〜２：１がより好ましい。
本体部３Ａの具体的寸法は、収納される附属品３６の大きさ等に応じて適宜設計されるが、通常、長さ３０ｍｍ〜８０ｍｍ程度、幅２０〜５０ｍｍ程度に形成される。また、貼付部３Ｂは、余りに大きいと容器胴部２１に重なる面積が増え、一方、余りに小さいとラベル３を容器胴部２１に十分な接着力を以て接着できないことから、長さ５ｍｍ〜３０ｍｍ程度、幅５〜２０ｍｍ程度に形成することが好ましい。
【００１８】
本体部３Ａと貼付部３Ｂは、一体的に形成されており、図２（ｂ）に示すように、下面に粘着部３１が設けられた下層基材３２と、該下層基材３２の上面に重ね合わされる上層基材３３とを備えている。
粘着部３１は、一般に公知のタックラベルに用いられている感圧型粘着剤などの公知の粘着剤を、下層基材３２の下面全体にベタ状に設けることによって形成されている（無数点状に設けるなど実質的にベタ状に設けられているものを含む）。
また、ラベル３全体のうち貼付部３Ｂのみを容器２に貼付可能とするため、本体部３Ａに対応する領域には、粘着部３１の粘着力を隠蔽する非粘着部３７が設けられている。該非粘着部３７を設けることで、貼付部３Ｂの裏面に粘着部３１が露出し、これにより、貼付部３Ｂのみを容器２に貼付することが可能となる。
この非粘着部３７は、例えば、本体部３Ａに対応する粘着部３１領域を隠蔽するように、非粘着処理を施すことによって設けられている。非粘着処理としては、例えば、シリコーン樹脂などの剥離剤を含む塗工液（例えば、シリコーンを含むグラビアインキ、ＵＶインキなど）や、ワックス、滑剤、シリコーンオイルなどの離型性を向上できる添加剤を混合した塗工液などのように、接着剤に対して剥離性に優れた塗工液を塗工することが挙げられる。また、本体部３Ａに対応する粘着部３１領域にフィルムを貼付することで非粘着処理を施すこともできる。
尚、上記のように粘着部３１をベタ状に設け且つ本体部３Ａに対応する領域に非粘着部３７を設ける構成に変えて、貼付部３Ｂの裏面にのみ粘着部３１を設けることもできる。
【００１９】
上下層基材３２、３３は、特に限定されず、例えば、ポリエチレンテレフタレートなどのポリエステル系、ポリプロピレンなどのポリオレフィン系、スチレン系などの合成樹脂フィルム、紙、合成紙、不織布などの単層フィルム、又は合成樹脂フィルムと紙の積層体などの積層フィルムなど、公知のフィルムを使用することができる。上下層基材３２、３３は、それぞれ同一又は同種のものでも良いし、又は異なる材質でもよい。上下層基材３２、３３の厚みは、概ね１０〜１２０μｍ程度のものが用いられる。なお、本発明に言うフィルムとは、一般にシートや葉状体などと呼ばれるものも含まれる。また、上下基材３２、３３、及び粘着部３１は、透明又は非透明でも良いが、貼付部３Ｂによって容器胴部２１の意匠表示２２が隠されてしまうことを防ぐという理由から透明であることが好ましい。
【００２０】
また、本体部３Ａに附属品３６を収納するため、本体部３Ａには、袋状の収納部３５が形成されている。この収納部３５は、本体部３Ａの中央部に対応する部分を除き、上下層基材３２、３３の周縁部に対応する部分を接着することにより形成され、この接着部３４で囲われる領域（収納部３５）内に付属品３６が収納されている。尚、貼付部３Ｂは、下層基材３３のみで構成されている。かかる貼付部３Ｂは、本体部３Ａに比して肉厚が薄くなる。従って、オーバーラップフィルム５で被包する際、本体部３Ａが、その自重により垂れ下がりやすくなるため好ましい。
上下層基材３２、３３の接着は、例えば接着剤又は粘着剤を用いて行うことができる。この接着剤としては、特に限定されず、加熱することで接着性を発揮する感熱性接着剤、紫外線などの光線照射により硬化する光硬化型接着剤、溶剤型接着剤、２液型接着剤などの公知の接着剤を用いることができる。また、粘着剤としては、粘着部３１と同様に、感圧型粘着剤、感熱性粘着剤などの公知の粘着剤を用いることができる。尚、上下層基材３２、３３が熱シール性を有するフィルムから構成されている場合、周縁部３４を熱シールして接着してもよい。
収納部３５は、付属品３６の形状などに応じて適宜設定され、本実施形態においては、図２（ａ）に示すように、付属品３６の外形よりも少し大きな平面視矩形状に形成されている。
付属品３６は、薬品能書、取扱説明書、商品説明書、懸賞応募説明書などの各種説明書、保証書などの各種証明書類、小冊子、各種カード類、コイン状物品、付録などの扁平状の収納物が挙げられる。もっとも、このような扁平状の収納物に限られず、ある程度嵩高いものでもよい。
通常、付属品３６は、例えば、非透明なシートに、その目的に応じて様々な事項が印刷されたものからなる。尚、かかる附属品３６を有する本体部３Ａは、透明な周縁部を除いて非透明なものである。
もっとも、本体部３Ａは、このように一部透明且つ一部非透明なものに限定されず、全体が非透明なもの、透光性の低い部分（有色透明、半透明など）を全体又は一部に有するもの、全体が透明であるものなどでもよい。
【００２１】
以上のような構成のラベル３は、図１（ａ）に示すように、本体部３Ａが肩部２３に沿うように、貼付部３Ｂの粘着部３１を介して容器２の胴部２１の正面２１ａ（以下、ラベル貼付面２１ａという）上部に貼付され、透明なオーバラップフィルム５によって被包される。容器２に対して非接着な本体部３Ａは、このオーバラップフィルム５によって、肩部２３（キャップ２５）に押さえ付けられている。
【００２２】
オーバラップフィルム５は、ピロー包装と呼ばれる包装形態のフィルムである。該オーバーラップフィルム５は、図１に示すように、ラベル付き容器を包み込むように、筒状にして、重ね合わせた両側端部を長手方向に線状に熱溶着すると共に、該筒状のフィルムの両側を幅方向に熱溶断することにより、３方熱シールされた袋体を形成し、熱収縮させることでラベル付き容器を被包している。該オーバラップフィルム５は、ラベル付き容器の周囲全体に熱収縮装着されているため、本体部３Ａを肩部２３に押さえつけ、ラベル付き容器の外形に沿って密着している。
オーバラップフィルム５は、意匠表示２２が外側から視認可能なように、本実施形態では透明なものが用いられている。もっとも、胴部２１のメインの意匠表示２２を外部から視認できるものであれば、一部分に意匠印刷が施されたオーバーラップフィルム５を用いることもできる。なお、オーバラップフィルム５の材質は、熱収縮性を有し、且つ熱溶着可能なものであれば特に限定されず、例えば、２軸延伸ポリプロピレンフィルムやポリエチレンフィルムなどを使用することができる。該フィルムの厚みは、通常１０〜４０μｍ程度のものが用いられる。
【００２３】
以上のように、本実施形態の包装体１においては、本体部３Ａに比べ面積の小さい貼付部３Ｂのみが胴部２１に貼付されるので、比較的大面積の本体部３Ａが胴部２１のメインの意匠表示２２に重ならない。また、ラベル３の貼付部３Ｂが透明である場合は、該メインの意匠表示２２が隠れて見えなくなることはない。
よって、包装体１は、メインの意匠表示２２を外部から十分に視認でき且つ附属品３６も具備しているので、メインの意匠表示２２及び付属品３６によって消費者等の興味を十分惹き付けることができる。
【００２４】
また、本体部３Ａは、オーバラップフィルム５によって肩部２３に押さえられているため、容器２に対して非接着な本体部３Ａが折れ曲がったり、或いは、ラベル３が容器２から外れたりすること等を防止できる。また、ラベルが故意に剥がされる或いは盗まれるなどの悪戯を防止できる。
さらに、本実施形態のように、注出口２４が設けられている容器２は肩部２３が平坦でなく、本体部３Ａを肩部２３に沿わせることが困難であるが、オーバラップフィルム５を被包して本体部３Ａを押さえることで、本体部３Ａを容易に肩部２３に沿わせることができる。
尚、本実施形態では、貼付部３Ｂは本体部３Ａよりも幅狭に形成されているが、貼付部３Ｂの幅は特に限定されず、例えば、図２（ｃ）に示すように、本体部３Ａと同じ幅に形成されていてもよい。また、本体部３Ａと貼付部３Ｂとの平面形状は、特に限定されず、略三角形状、略円形などであってもよい。
【００２５】
次に、上記包装体１の製造方法を説明する。
図３（ａ）に示すように、胴部２１のラベル貼付面２１ａが上側に向いた状態（横倒し状態）で、容器２をラベリング装置（図示せず）に搬送する。ラベリング装置では、図３（ｂ）に示すように、ラベル３の本体部３Ａが肩部２３に対応するように位置させて、容器２のラベル貼付面２１ａの上部（容器胴部２１であって、胴部２１と肩部２３の近傍位置）にラベル３の貼付部３Ｂを貼付する。横倒し状態の容器２は、ラベル貼付面２１ａから連続する肩部２３の斜面２３ａが先端に向かうに従い下側に傾斜している。従って、本体部３Ａは、その下方に位置する肩部２３との間に、空間を有した状態となる。
そのため、図３（ｃ）に示すように、本体部３Ａは、経時的に、自重で肩部２３側に垂れ下がり、肩部２３に沿った状態に変化する。
次に、ラベル３が貼付された容器２は、ピロー包装機に供給され、オーバラップフィルム５を構成する長尺状のフィルムによって筒状に包み込まれる。該フィルムは、図４（ａ）に示すように、供給されたラベル付き容器を包み、長手方向に線状に熱溶着すると共に、該容器の前後を幅方向に熱溶断することにより、３方熱シールされた袋体のオーバラップフィルム５に形成される。最後に、図４（ｂ）に示すように、これを熱収縮させることで、オーバラップフィルム５は、ラベル付き容器の外形に略沿って密着する。かかる工程を経て、図１（ａ）及び図１（ｂ）に示すような包装体１が得られる。
尚、上記製造方法に於いては、容器２を横倒した後にラベル３を貼付しているが、これに代えて、底部を下にして容器２を自立状態にし、ラベル３の本体部３Ａが肩部２３に対応するように位置させつつ、この容器２のラベル貼付面２１ａの上部（容器胴部２１であって、胴部２１と肩部２３の近傍位置）にラベル３の貼付部３Ｂを貼付し、その後、容器２を横倒しすることも可能である。
【００２６】
上記の製造方法によれば、本体部３Ａが自重により肩部２３に沿うので、ラベル付き容器の周囲にオーバラップフィルム５を被せて熱収縮させるだけで簡易に包装体１を製造することができる。つまり、ラベル３の貼付時に、肩部２３から離れている本体部３Ａを、肩部２３に沿うように折り曲げ作業などを行わなくても、本体部３Ａに皺などを生じさせずに、本体部３Ａが美麗に肩部２３に沿った包装体１を簡易に製造することができる。
【００２７】
また、貼付部３Ｂは、図２（ａ）に示すように、本体部３Ａより幅狭に形成されているので、貼付部３Ｂと本体部３Ａの境界部分の幅が小さくなる。従って、本体部３Ａの自重によってこの部分に発生する応力が大きくなるため、本体部３Ａが自重により垂れ下がり易くなる。従って、ラベル３の貼付工程とオーバーラップフィルム５の被包工程の時間差が短い場合でも、本体部３Ａが自重により、確実に肩部２３側へと垂れ下がる。
【００２８】
次に、本発明の変形例を示す。
上記実施形態では、ラベル３の本体部３Ａは、収納部３５と付属品３６とを備えているが、本発明に用いられるラベル３は、上記構成のラベル３に限定されず、本発明の意図する範囲で適宜変形することができる。
【００２９】
例えば、図５に示すように、附属品３６と該附属品３６が収納された袋状の収納部３５とを有する本体部３Ａが、接着剤３８を介して、基材３２の上面に貼付されているラベル３でもよい。かかるラベル３は、上記実施形態に類似した構成であり、基材３２の下面全体に粘着部３１が設けられ、該粘着部３１のうち本体部３Ａが貼付された領域に非粘着部３７が設けられている。
【００３０】
また、図６に示すように、帯状のフィルムが複数箇所で折り畳まれて複数層に形成されたリーフレットラベル６で構成されていもよい。このリーフレットラベル６は、リーフレット本体６４（本体部３Ａに相当する）と、該リーフレット本体６４から延出された貼付部３Ｂを備えている。
【００３１】
上記リーフレットラベル６は、例えば、特開２００３−５８０８９公報に記載のリーフレットラベルに準じた構成とすることができる。すなわち、リーフレットラベル６は、基材６１の裏面に粘着部６２が積層されたベースフィルム６３と、このベースフィルム６３の表面に貼着される帯状のリーフレット本体６４とを備える。
基材６１は、上記の上下層基材３２、３３と同様の材質を用いて形成することができ、粘着部６２、上記の粘着部３１と同様の材質を用いて形成することができる。リーフレット本体６４は、紙、合成紙、合成樹脂フィルムなどの単層フィルム、又は、合成樹脂フィルムと紙の積層体などの積層フィルム等を用いて形成することができる。このリーフレット本体６４は、図６に示すように、複数箇所で折り畳まれて複数層に形成され、折り畳まれて形成された所定の層と先端部とがベースフィルム６３の表面に貼着されている。リーフレット本体６４の片面又は両面には、所望の印刷が施されている。そして、リーフレット本体６４は、ベースフィルム６３に貼付された先端部を切り離して、全体を引き伸ばせるように、先端部付近に全幅に亘ってミシン目６５が形成されている。
【００３２】
上記リーフレットラベル６の貼付部３Ｂは、上記付属品３６が収納されたラベル３と同様に、リーフレットラベル６の基材６１の一側縁が延出され、この延出部分６１’の裏面に粘着部６２が露出した構成からなる。
尚、リーフレットラベル６の具体的構成は、本発明の意図する範囲で種々に変形することができる（この点、後述するキャンペーンラベル７についても同様である）。
【００３３】
また、本発明に用いられるラベル３として、景品等の応募券を商品に添付する際などに使用されるキャンペーンラベル７を用いることもできる。
このキャンペーンラベル７は、図７に示すように、ベースラベル７１とこれに積層された非透明なカバーラベル７２（本体部３Ａに相当する）と、ベースラベル７１から延出された貼付部３Ｂを備えている。
具体的には、キャンペーンラベル７は、例えば、ベースラベル７１と、ベースラベル７１表面に剥離可能に粘着されたカバーラベル７２とを備えている。このうち少なくともカバーラベル７２は、内側に印刷された内容が視認できないように、非透明な材質からなる。このカバーラベル７２をベースラベル７１から剥離することにより、ベースラベル７１の表面及び／又はカバーラベル７２の裏面に印刷された内容を見ることが可能に構成されている。ベースラベル７１及びカバーラベル７２の構成については、例えば特開２００５−１７３３０４号公報に記載されたキャンペーンラベルに準じた構成とすることができる。すなわち、ベースラベル７１は、非粘着部７１ａ、粘着部７１ｂ、基材７１ｃ、印刷層７１ｄ、剥離層７１ｅの順でこれらが積層されて形成され、カバーラベル７２は、粘着部７２ａ、印刷層７２ｂ、基材７２ｃ、印刷層７２ｄの順でこれらが積層されて形成されている。そして、ベースラベル７１の剥離層７２ｅの表面に、カバーラベル２の粘着部７２ｂが剥離可能に積層接着されている。
【００３４】
印刷層７１ｄ、７２ｂには、「当たり」、「はずれ」などの文字、当選番号、二次元コードなどや、キャンペーンの説明等のように、予め隠しておきたい表示が印刷されている。一方、印刷層７２ｄには、外部に視認させるため、キャンペーンラベル７の存在を知らせる告示内容などが印刷されている。剥離層７１ｅには、粘着部７２ａの粘着力を調整し、接着状態のカバーラベル７２を剥離できる公知の処理が施されている。該処理としては、例えば、シリコーン系剥離剤などの公知の剥離剤を、薄く塗工したり、点状に塗工したりすることなどが挙げられる。
【００３５】
上記キャンペーンラベル７の貼付部３Ｂは、上記付属品３６が収納されたラベル３と同様に、基材７１ｃの一側縁が延出され、この延出部分７１ｃ’の裏面に粘着部７１ｂが露出した構成からなる。
【００３６】
上記リーフレットラベル６やキャンペーンラベル７も同様に、貼付部３Ｂを胴部２１に貼付され、本体部３Ａが肩部２３に沿った状態で、オーバーラップフィルム５にて被包されることで本発明の包装体１を構成することができる。
本発明によれば、ラベルを故意に引き剥がす行為を防止できるので、キャンペーンラベル７を用いる場合に特に効果的である。
【図面の簡単な説明】
【００３７】
【図１】図１（ａ）は、本実施形態に係る包装体の正面図であり、図１（ｂ）は、本実施形態に係る包装体の側面図である。
【図２】図２（ａ）は、本実施形態に係る包装体のラベルの平面図であり、図２（ｂ）は、図２（ａ）のＡ―Ａ断面図であり、図２（ｃ）は、変形例のラベルの平面図である。
【図３】図３は、包装体の製造方法を説明するための参考図である。
【図４】図４は、包装体の製造方法を説明するための参考図である。
【図５】図５は、附属品付きラベルの変形例を示す断面図である。
【図６】図６は、リーフレットラベルで構成されたラベルの斜視図である。
【図７】図７は、キャンペーンラベルで構成されたラベルの一部省略断面図である。
【図８】図８（ａ）は、従来のラベルの平面図であり、図８（ｂ）は、図８（ａ）のＢ―Ｂ断面図であり、図８（ｃ）は、該ラベルが容器胴部に貼付された従来の包装体の正面図である。
【符号の説明】
【００３８】
１  包装体
２  容器
２１  胴部
２２  意匠表示
２３  肩部
３  ラベル
３Ａ  本体部
３Ｂ  貼付部
３５  収納部
３６  付属品
５  オーバラップフィルム
【図１】
2007216970.tif 000003
【図２】
2007216970.tif 000004
【図３】
2007216970.tif 000005
【図４】
2007216970.tif 000006
【図５】
2007216970.tif 000007
【図６】
2007216970.tif 000008
【図７】
2007216970.tif 000009
【図８】
2007216970.tif 000010